(57)【特許請求の範囲】
【請求項１】
筐体と、
前記筐体の底板上に配設された圧縮機と、
前記筐体の側板に配設された熱交換器と、
前記筐体に取り付けられ前記熱交換器に送風するファンと、
高調波を抑制するフィルタと、
前記フィルタを制御する高調波抑制制御回路と、
前記圧縮機を駆動する圧縮機駆動用インバータと、
前記圧縮機駆動用インバータを制御する圧縮機駆動用インバータ制御回路と、
前記ファンを駆動するファン駆動用インバータと、
前記ファン駆動用インバータを制御するファン駆動用インバータ制御回路と、
前記圧縮機駆動用インバータおよび前記ファン駆動用インバータに対し、前記フィルタの出力を整流した電流として供給するコンバータと、
冷凍サイクルを制御するサイクル制御回路とを備えた空気調和機の室外機において、
前記フィルタ、前記高調波抑制制御回路、前記圧縮機駆動用インバータ、前記圧縮機駆動用インバータ制御回路、前記ファン駆動用インバータ、前記ファン駆動用インバータ制御回路、前記コンバータおよび前記サイクル制御回路が単一の電気箱に収納され、前記電気箱が前記筐体内に取り付けられ、
前記フィルタ、前記高調波抑制制御回路、前記圧縮機駆動用インバータ、前記圧縮機駆動用インバータ制御回路、前記ファン駆動用インバータ、前記ファン駆動用インバータ制御回路、前記コンバータおよび前記サイクル制御回路は、２以上の基板に分けて形成されており、
前記２以上の基板の板面が同一平面上に配設されていることを特徴とする室外機。
【請求項２】
ファンが底板に対向する筐体の上部に配設されている請求項１に記載の室外機。
【請求項３】
フィルタおよび高調波抑制制御回路が単一の基板に形成されている請求項１または請求項２に記載の室外機。
【請求項４】
フィルタ、高調波抑制制御回路、コンバータ、圧縮機駆動用インバータおよび圧縮機駆動用インバータ制御回路が単一の基板に形成されている請求項３に記載の室外機。
【請求項５】
高調波抑制制御回路および圧縮機駆動用インバータ制御回路が単一のマイコンで構成されている請求項４に記載の室外機。
【請求項６】
フィルタ回路、高調波抑制制御回路、コンバータ、圧縮機駆動用インバータ、圧縮機駆動用インバータ制御回路、ファン駆動用インバータおよびファン駆動用インバータ制御回路が単一の基板に形成されている請求項３に記載の室外機。
【請求項７】
高調波抑制制御回路、圧縮機駆動用インバータ制御回路およびファン駆動用インバータ制御回路が単一のマイコンで構成されている請求項６に記載の室外機。
【請求項８】
コンバータ、圧縮機駆動用インバータ、圧縮機駆動用インバータ制御回路、ファン駆動用インバータおよびファン駆動用インバータ制御回路が単一の基板に形成されている請求項１から請求項３のいずれか１項に記載の室外機。
【請求項９】
圧縮機駆動用インバータ制御回路およびファン駆動用インバータ制御回路が単一のマイコンで構成されている請求項８に記載の室外機。
【請求項１０】
請求項１から請求項９のいずれか１項に記載の室外機を備えている空気調和機。
【発明の詳細な説明】
【技術分野】
【０００１】
本発明は、室外機および当該室外機を備えている空気調和機に関する。
【背景技術】
【０００２】
空気調和機の室外機は、圧縮機と熱交換器とファンとを備え、ファンモータによるファンの回転により発生した風の流れにより、例えば冷房運転時における熱交換器等から発生する廃熱を室外機の筐体外部へ放熱させる。
【０００３】
上記圧縮機およびファンモータは、通常、回転速度を可変できるようにインバータ制御が行われている。このようなインバータ制御を行う場合、インバータを搭載した機器の商用電源には高調波電流が発生し、振動や騒音等を引き起こすおそれがあるため、室外機には上記高調波電流を抑制可能な高調波抑制装置が備えられている（例えば、特許文献１参照）。
【先行技術文献】
【特許文献】
【０００４】
【特許文献１】特開２０１２−２２５５３７号公報
【発明の概要】
【発明が解決しようとする課題】
【０００５】
しかしながら、従来の室外機では、ファンモータを駆動するファン駆動用インバータ、圧縮機に搭載されたモータに対して所望の電流を送る圧縮機駆動用インバータ、空気調和機のサイクル制御を行うサイクル制御回路などを格納する電気箱と、上述した高調波抑制装置を格納する電気箱とが別々に設けられているため（図６の電気箱８１および電気箱８２参照）、これらの電気箱８１、８２が全体として嵩高となってしまい、筐体内における通風経路を十分に確保することができず、結果としてファンモータの熱交換効率（運転効率）が悪くなる傾向にある。
【０００６】
本発明は、以上のような事情に基づいてなされたものであり、その目的は、筐体内における空気の通風経路を十分に確保することができる室外機および当該室外機を備えている空気調和機を提供することにある。
【課題を解決するための手段】
【０００７】
上記課題を解決するためになされた発明は、
筐体と、前記筐体の底板上に配設された圧縮機と、前記筐体の側板に配設された熱交換器と、前記筐体に取り付けられ前記熱交換器に送風するファンと、高調波を抑制するフィルタと、前記フィルタを制御する高調波抑制制御回路と、前記圧縮機を駆動する圧縮機駆動用インバータと、前記圧縮機駆動用インバータを制御する圧縮機駆動用インバータ制御回路と、前記ファンを駆動するファン駆動用インバータと、前記ファン駆動用インバータを制御するファン駆動用インバータ制御回路と、前記圧縮機駆動用インバータおよび前記ファン駆動用インバータに対し、前記フィルタの出力を整流した電流として供給するコンバータと、冷凍サイクルを制御するサイクル制御回路とを備えた空気調和機の室外機において、前記フィルタ、前記高調波抑制制御回路、前記圧縮機駆動用インバータ、前記圧縮機駆動用インバータ制御回路、前記ファン駆動用インバータ、前記ファン駆動用インバータ制御回路、前記コンバータおよび前記サイクル制御回路が単一の電気箱に収納され、前記電気箱が前記筐体内に取り付けられ、前記フィルタ、前記高調波抑制制御回路、前記圧縮機駆動用インバータ、前記圧縮機駆動用インバータ制御回路、前記ファン駆動用インバータ、前記ファン駆動用インバータ制御回路、前記コンバータおよび前記サイクル制御回路は、２以上の基板に分けて形成されており、前記２以上の基板の板面が同一平面上に配設されていることを特徴とする室外機である。
【０００８】
また、上記課題を解決するためになされた別の発明は、
当該室外機を備えている空気調和機である。
【０００９】
なお、本明細書において、「マイコン」とは、マイクロプロセッサを意味する。
【発明の効果】
【００１０】
本発明は、筐体内における空気の通風経路を十分に確保することができる室外機および当該室外機を備えている空気調和機を提供することができる。
【図面の簡単な説明】
【００１１】
【図１】本発明の第１〜第３の実施形態に係る室外機の概略図であって、（ａ）は正面図、（ｂ）は側面図をそれぞれ示している。
【図２】本発明の第１の実施形態に係る室外機における電気箱を示す模式図である。
【図３】本発明の第２の実施形態に係る室外機における電気箱を示す模式図である。
【図４】本発明の第３の実施形態に係る室外機における電気箱を示す模式図である。
【図５】本発明の空気調和機の冷凍サイクル系統図である。
【図６】従来の室外機に係る電気箱の一形態を示す模式図である。
【発明を実施するための形態】
【００１２】
＜室外機＞
本発明の室外機は、筐体と、上記筐体の底板上に配設された圧縮機と、上記筐体の側板に配設された熱交換器と、上記筐体に取り付けられ上記熱交換器に送風するファンと、高調波を抑制するフィルタと、上記フィルタを制御する高調波抑制制御回路と、上記圧縮機を駆動する圧縮機駆動用インバータと、上記圧縮機駆動用インバータを制御する圧縮機駆動用インバータ制御回路と、上記ファンを駆動するファン駆動用インバータと、上記ファン駆動用インバータを制御するファン駆動用インバータ制御回路と、上記圧縮機駆動用インバータおよび上記ファン駆動用インバータに対し、上記フィルタの出力を整流した電流として供給するコンバータと、冷凍サイクルを制御するサイクル制御回路とを備えた空気調和機の室外機において、上記フィルタ、上記高調波抑制制御回路、上記圧縮機駆動用インバータ、上記圧縮機駆動用インバータ制御回路、上記ファン駆動用インバータ、上記ファン駆動用インバータ制御回路、上記コンバータおよび上記サイクル制御回路が単一の電気箱に収納され、上記電気箱が上記筐体内に取り付けられていることを特徴とする。
【００１３】
なお、上記フィルタおよび高調波抑制制御回路を備える装置を「高調波抑制装置」、上記圧縮機駆動用インバータおよび圧縮機駆動用インバータ制御回路を備える装置を「圧縮機駆動用インバータ装置」、上記ファン駆動用インバータおよびファン駆動用インバータ制御回路を備える装置を「ファン駆動用インバータ装置」、サイクル制御回路を備える装置を「サイクル制御装置」とも称する。
【００１４】
以下、本発明の室外機の第１〜第３の実施形態について図１〜図４を参照して説明するが、本発明は、当該図面に記載の実施形態にのみ限定されるものではない。なお、図１は、本発明の第１〜第３の実施形態に係る室外機の概略図であり、後述する筐体２、圧縮機３、熱交換器４およびファン５の構成は、上記各実施形態で同様であるため、第２および第３の実施形態の項での筐体２、圧縮機３、熱交換器４およびファン５の説明は省略する。
【００１５】
［第１の実施形態］
図１は、本発明の室外機の一実施形態を説明するための概略図であって、（ａ）は正面図、（ｂ）は側面図をそれぞれ示している。また、図２は、本発明の第１の実施形態に係る室外機における電気箱を示す模式図である。図１に示すように、第１の実施形態に係る室外機１は、筐体２と、圧縮機３と、熱交換器４と、ファン５と、電気箱６１とを備えている。
【００１６】
筐体２は、内部に圧縮機３、熱交換器４、ファン５および電気箱６１などを収納する略直方体の箱である。筐体２は、概略的に、底板２１と、側板２２と、天板２３とにより構成され、側板２２は、さらに正面板２２１と、背面板２２２と、対向する一対の側面板２２３とにより構成されている。また、筐体２の底板２１の角部には取付け足２４が取り付けられている。
【００１７】
圧縮機３は、冷媒を圧縮するものであり、筐体２の底板２１上に配設されている。この圧縮機３は、当該圧縮機３の回転軸の回転速度が可変できるようにインバータ制御される。圧縮機３としては、例えば、レシプロ圧縮機、スクリュー圧縮機、スクロール圧縮機等が挙げられるが、本発明は、かかる例示にのみ限定されるものではない。
【００１８】
熱交換器４は、冷媒と空気（外気）との間で熱交換を行うものであり、側板２２のうちの背面板２２２および側面板２２３に配設されている。
【００１９】
ファン５は、筐体２内の空気を排出すると共に熱交換器４に空気を供給するものであり、底板２１に対向する筐体２の上部（天板２３に設けられた吹き出し口としての開口部２３ａに臨む筐体２の上部）に配設されている。ファン５としては、例えば、シロッコファン、ターボファン、プロペラファン等が挙げられるが、本発明は、かかる例示にのみ限定されるものではない。これらの中で、ファン５は、空気の排出および供給を効率よく行うことができる点で、プロペラファンであることが好ましい。なお、ファンの数は、図１に示すように１台でもよく、複数台（不図示）でもよい。
【００２０】
ファン５の回転軸にはファンモータ５１が接続されている。このファンモータ５１は、ファン５の回転軸の回転速度が可変できるようにインバータ制御される。
【００２１】
図２に示すように、電気箱６１は、モジュールとしてのフィルタ６０１、高調波抑制制御回路６０２、圧縮機駆動用インバータ６０３、圧縮機駆動用インバータ制御回路６０４、ファン駆動用インバータ６０５、ファン駆動用インバータ制御回路６０６、コンバータ６０７およびサイクル制御回路６０８を収納する単一の箱である。また、電気箱６１には、上記モジュール以外に、ノイズフィルタ６０９、電流センサ６１０、平滑回路６１１等のモジュールが収納されている。この電気箱６１は、図１に示すように、筐体２の鉛直方向略中央部であって正面板２２１の筐体２内側に取り付けられている。さらに、電気箱６１の正面板２２１と反対側の表面には、上記モジュール等からの発熱を逃がす放熱フィン６４が取り付けられている。
【００２２】
第１の実施形態では、図２に示すように、フィルタ６０１および高調波抑制制御回路６０２が単一の基板Ａ１に形成され、コンバータ６０７、圧縮機駆動用インバータ６０３、圧縮機駆動用インバータ制御回路６０４、ファン駆動用インバータ６０５およびファン駆動用インバータ制御回路６０６が単一の基板Ａ２に形成されていると共に、サイクル制御回路６０８は、基板Ａ３に形成されている。これらの基板は、ノイズフィルタ６０９の後段に基板Ａ１および基板Ａ３が並列に接続され、基板Ａ１の後段に基板Ａ２が接続されている。なお、上述した基板Ａ１、基板Ａ２および基板Ａ３は、互いに異なる基板である。  
【００２３】
また、圧縮機駆動用インバータ制御回路６０４およびファン駆動用インバータ制御回路６０６が単一のマイコンａ１で構成されている。
【００２４】
フィルタ６０１は、入力電流（電源７から入力した交流電流）中の高調波を抑制するものである。高調波抑制制御回路６０２は、後述する電流センサ６１０により計測された電流を処理しフィルタ６０１を制御するものである。そのため、これらを備える高調波抑制装置は、圧縮機３等のインバータ制御に伴い発生する入力電流中の高調波を抑制し、電源の電流波形を正弦波に近づける。
【００２５】
圧縮機駆動用インバータ６０３は、圧縮機３を駆動する電力を供給するものである。圧縮機駆動用インバータ制御回路６０４は、圧縮機駆動用インバータ６０３の出力を可変可能に制御するものである。そのため、これらを備える圧縮機駆動用インバータ装置は、圧縮機３の回転速度を可変し、圧縮能力を制御する。
【００２６】
ファン駆動用インバータ６０５は、ファン５を駆動する電力を供給するものである。ファン駆動用インバータ制御回路６０６は、ファン駆動用インバータ６０５の出力を可変可能に制御するものである。そのため、これらを備えるファン駆動用インバータ制御装置は、ファンモータ５１の回転速度を可変し、ファン５の空気供給能力を制御する。
【００２７】
コンバータ６０７は、圧縮機駆動用インバータ６０３およびファン駆動用インバータ６０５に対し、フィルタ６０１の出力を整流した電流として供給するものである。
【００２８】
サイクル制御回路６０８は、冷凍サイクルを制御するものである。
【００２９】
また、ノイズフィルタ６０９は、３相交流商用電源等の電源７に含まれるノイズの抑制、および圧縮機駆動用インバータ６０３やファン駆動用インバータ６０５などから発生するノイズの抑制を行うものである。電流センサ６１０は、フィルタ６０１へ供給される電流を計測するものである。平滑回路６１１は、上述したコンバータ６０７と協働して整流された電流の中に含まれている脈流をより直流に近い状態に平滑化するものである。
【００３０】
次に、上述した室外機１の筐体２内部における空気の通風経路および通風について説明する。上述したような構成の室外機１では、筐体２内部において、圧縮機３の近傍、電気箱６１の側方およびファン５の近傍を結ぶ略鉛直方向に沿った一連の空間が形成され、この空間が通風経路となる。このような構成の通風経路では、ファン５を駆動した場合、図１（ａ）および（ｂ）の矢印Ｙ１〜Ｙ３で示すように空気が通風する。すなわち、ファン５の駆動により筐体２内の空気が開口部２３ａから排出され（矢印Ｙ３参照）、この排出に伴って熱交換器４を通過して筐体２内に空気が流入し（矢印Ｙ１参照）、次いで流入した空気が筐体２内を上昇し（矢印Ｙ２参照）、上昇した空気は開口部２３ａから排出される（矢印Ｙ３参照）。
【００３１】
その際、空気は、熱交換器４と熱交換を行うと共に、電気箱６１に取り付けられている放熱フィン６４等からの放熱を吸収し、筐体２外に放出される。
【００３２】
このように、第１の実施形態では、フィルタ６０１、高調波抑制制御回路６０２、圧縮機駆動用インバータ６０３、圧縮機駆動用インバータ制御回路６０４、ファン駆動用インバータ６０５、ファン駆動用インバータ制御回路６０６、コンバータ６０７およびサイクル制御回路６０８が単一の電気箱６１に収納され、電気箱６１が筐体２内に取り付けられているので、複数の電気箱を取り付ける場合に比べ、電気箱の共用化および電気箱間の配線の不要化に伴う部品点数の削減により電気箱６１の容積を小さくすることができ、その結果、筐体２内における空気の通風経路を十分に確保し、熱交換器４での熱交換や放熱フィン６４等による放熱を促進することができる。また、単一の電気箱６１で構成されているので、電気箱間の配線が不要となった分、防水性に優れる。
【００３３】
また、ファン５が底板２１に対向する筐体２の上部に配設されているので、ファン５の駆動により室外機１の側方から取り込まれて熱交換器４等で熱交換した空気を、通風経路に沿って略鉛直方向に上昇させることができ、開口部２３ａから効率よく排出させて熱交換効率（運転効率）を向上させることができる。
【００３４】
また、フィルタ６０１および高調波抑制制御回路６０２が単一の基板Ａ１に形成されているので、電気箱６１の厚さを薄くすることができ、通風経路をより確保することができると共に、コンバータ６０７、圧縮機駆動用インバータ６０３、圧縮機駆動用インバータ制御回路６０４、ファン駆動用インバータ６０５およびファン駆動用インバータ制御回路６０６が単一の基板Ａ２に形成されているので、電気箱６１の厚さをより薄くすることができ、通風経路をさらに十分に確保することができる。
【００３５】
また、ノイズフィルタ６０９の後段側に高調波抑制装置、圧縮機駆動用インバータ装置、ファン駆動用インバータ装置等が接続されているので、ノイズフィルタ６０９を共用することができ、部品点数の削減等を図ることができる。
【００３６】
また、図１（ａ）および（ｂ）に示すように、電気箱６１が通風経路に臨むように筐体２の鉛直方向略中央部であって正面板２２１の筐体２内側に取り付けられているので、電気箱６１からの放熱を促進させることができ、電気箱６１に空冷用ファン等の専用の放熱手段を設ける必要がなくなる。
【００３７】
さらに、圧縮機駆動用インバータ制御回路６０４およびファン駆動用インバータ制御回路６０６が単一のマイコンａ１で構成されているので、部品点数の削減、組立性の向上および実装される基板面積の低減を図ることができ、電気箱６１の厚さをさらに薄くして通風経路をよりさらに十分に確保することができる。
【００３８】
［第２の実施形態］
図３は、本発明の第２の実施形態に係る室外機１１における電気箱６２を示す模式図である。図３に示すように、第２の実施形態では、上述した第１の実施形態とは基板の構成が異なっている。なお、第２の実施形態の電気箱６２に収納されているフィルタ６０１、高調波抑制制御回路６０２、圧縮機駆動用インバータ６０３、圧縮機駆動用インバータ制御回路６０４、ファン駆動用インバータ６０５、ファン駆動用インバータ制御回路６０６、コンバータ６０７およびサイクル制御回路６０８については、これらを形成する基板の構成が第１の実施形態と異なっていること以外は第１の実施形態と同様であるため、同一部分については同一符号を付してその詳細な説明は省略する。
【００３９】
また、電気箱６２には、ノイズフィルタ６０９、電流センサ６１０および平滑回路６１１が収納されているが、これらは第１の実施形態と同様であるため、同一部分については同一符号を付してその詳細な説明は省略する。
【００４０】
第２の実施形態では、上述したフィルタ６０１、高調波抑制制御回路６０２、コンバータ６０７、圧縮機駆動用インバータ６０３および圧縮機駆動用インバータ制御回路６０４が単一の基板Ｂ１に形成され、ファン駆動用インバータ６０５およびファン駆動用インバータ制御回路６０６が基板Ｂ２に形成されている共に、サイクル制御回路６０８が基板Ｂ３に形成されている。これらの基板は、ノイズフィルタ６０９の後段に基板Ｂ１および基板Ｂ３が並列に接続され、基板Ｂ１の後段に基板Ｂ２が接続されている。なお、上記基板Ｂ１、基板Ｂ２および基板Ｂ３は、互いに異なる基板である。
【００４１】
また、高調波抑制制御回路６０２および圧縮機駆動用インバータ制御回路６０４が単一のマイコンｂ１で構成されている。
【００４２】
このように、第２の実施形態では、第１の実施形態と同様に単一の電気箱６２で構成されているので、空気の通風経路の十分な確保が可能になると共に、防水性に優れる。また、フィルタ６０１、高調波抑制制御回路６０２、コンバータ６０７、圧縮機駆動用インバータ６０３および圧縮機駆動用インバータ制御回路６０４が単一の基板Ｂ１に形成されているので、電気箱６２の厚さを薄くすることができ、通風経路をより十分に確保することができる。さらに、高調波抑制制御回路６０２および圧縮機駆動用インバータ制御回路６０４が単一のマイコンｂ１で構成されているので、部品点数の削減、組立性の向上および実装される基板面積の低減を図ることができ、電気箱６２の厚さをより薄くして通風経路をさらに十分に確保することができる。
【００４３】
［第３の実施形態］
図４は、本発明の第３の実施形態に係る室外機１１１における電気箱６３を示す模式図である。図４に示すように、第３の実施形態では、上述した第１および第２の実施形態とは基板の構成が異なっている。なお、第３の実施形態に係る電気箱６３の収納されているフィルタ６０１、高調波抑制制御回路６０２、圧縮機駆動用インバータ６０３、圧縮機駆動用インバータ制御回路６０４、ファン駆動用インバータ６０５、ファン駆動用インバータ制御回路６０６、コンバータ６０７およびサイクル制御回路６０８については、これらを形成する基板の構成が第１および第２の実施形態と異なっていること以外は第１および第２の実施形態と同様であるため、同一部分については同一符号を付してその詳細な説明は省略する。
【００４４】
また、電気箱６３には、ノイズフィルタ６０９、電流センサ６１０および平滑回路６１１が収納されているが、これらは第１および第２の実施形態と同様であるため、同一部分については同一符号を付してその詳細な説明は省略する。
【００４５】
第３の実施形態では、上述したフィルタ６０１、高調波抑制制御回路６０２、コンバータ６０７、圧縮機駆動用インバータ６０３、圧縮機駆動用インバータ制御回路６０４、ファン駆動用インバータ６０５およびファン駆動用インバータ制御回路６０６が単一の基板Ｃ１に形成されていると共に、サイクル制御回路６０８が基板Ｃ２に形成されている。これらの基板は、ノイズフィルタ６０９の後段に基板Ｃ１および基板Ｃ２が並列に接続されている。なお、上述した基板Ｃ１および基板Ｃ２は、互いに異なる基板である。
【００４６】
また、高調波抑制制御回路６０２、圧縮機駆動用インバータ制御回路６０４およびファン駆動用インバータ制御回路６０６が単一のマイコンｃ１で構成されている。
【００４７】
このように、第３の実施形態では、第１および第２の実施形態と同様に単一の電気箱６３で構成されているので、空気の通風経路の十分な確保が可能になると共に、防水性に優れる。また、フィルタ６０１、高調波抑制制御回路６０２、コンバータ６０７、圧縮機駆動用インバータ６０３、圧縮機駆動用インバータ制御回路６０４、ファン駆動用インバータ６０５およびファン駆動用インバータ制御回路６０６が単一の基板Ｃ１に形成されているので、電気箱６３の厚さを薄くすることができ、通風経路をより十分に確保することができる。さらに、高調波抑制制御回路６０２、圧縮機駆動用インバータ制御回路６０４およびファン駆動用インバータ制御回路６０６が単一のマイコンｃ１で構成されているので、部品点数の削減、組立性の向上および実装される基板面積の低減を図ることができ、電気箱６３の厚さをより薄くして通風経路をさらに十分に確保することができる。
【００４８】
＜空気調和機＞
本発明の空気調和機は、当該室外機を備えている。以下に、本発明の空気調和機の一実施形態について図５を参照して説明するが、本発明の空気調和機は、当該図面に記載の実施態様にのみ限定されるものではない。
【００４９】
図５は、本発明の空気調和機の冷凍サイクル系統図である。図５に示すように、本発明の空気調和機１０は、室外機１と、室内機９とを備え、これらはガス配管１０１および液配管１０２により互いに接続されている。
【００５０】
室外機１は、圧縮機３と、四方弁１２と、熱交換器４と、室外膨張弁１４とを備え、それぞれが配管により接続されている。また、室外機１は、圧縮機３やファンモータ５１のインバータ制御、熱交換器４や四方弁１２等の制御などを行う電気箱６１を備えている。なお、図５の室外機１は、図１の室外機１と同様であるため、圧縮機３、熱交換器４および電気箱６１については、同一の符号を付してその詳細な説明を省略する。
【００５１】
四方弁１２は、冷媒の流れを切り替える弁であり、これにより冷房運転と暖房運転とが切り替わる。室外膨張弁１４は、暖房運転時に冷媒を減圧して低温にする。
【００５２】
室内機９は、室内熱交換器９１と、室内膨張弁９２とを備え、それぞれが配管により接続されている。室内熱交換器９１は、冷媒と室内の空気との間で熱交換を行うものである。室内膨張弁９２は、冷房運転時に冷媒を減圧して低温にする。
【００５３】
次に、本発明の空気調和機１０の動作について、冷房運転を例にとって説明する。なお、図５における矢印は、空気調和機１０の冷房運転における冷媒の流れを示している。
【００５４】
冷房運転において、四方弁１２は、実線で示すように、圧縮機３の吐出側と熱交換器４とを連通させ、圧縮機３の吸入側とガス配管１０１とを連通させる。
【００５５】
圧縮機３から吐出される高温高圧の作動ガスは、四方弁１２を通過し、熱交換器４側に流れる。熱交換器４に流入したガス状の冷媒は、ファン５（図１参照）により供給される室外の空気と熱交換して凝縮され、液状の冷媒となる。この液状の冷媒は、全開状態の室外膨張弁１４および液配管１０２を通過して、室内機９に流入する。室内機９に流入した液状の冷媒は、室内膨張弁９２により減圧されて、低温低圧のガス液混合状の冷媒となる。この低温低圧のガス液混合状の冷媒は、室内熱交換器９１に流入して、図示していない室内ファンにより供給される室内の空気と熱交換されて蒸発し、ガス状の冷媒となる。この際、室内の空気は、ガス液混合状の冷媒の蒸発潜熱により冷却され、冷風が部屋内に送られる。その後、室内機９から流出したガス状の冷媒は、ガス配管１０１を通過し、室外機１に戻される。
【００５６】
室外機１に戻されたガス状の冷媒は、四方弁１２を通過し、圧縮機３に吸入され、再度圧縮機３で圧縮されることにより、一連の冷凍サイクルが形成される。
【００５７】
このように、本発明の空気調和機１０は、当該室外機１を備えているので、複数の電気箱を取り付ける場合に比べ、電気箱の共用化および電気箱間の配線の不要化に伴う部品点数の削減により電気箱６１の容積を小さくすることができ、その結果、筐体２内における空気の通風経路を十分に確保することができる。また、単一の電気箱６１で構成されているので、電気箱間の配線が不要となった分、防水性に優れる。
【００５８】
なお、本発明は、上述した実施形態の構成に限定されるものではなく、特許請求の範囲によって示され、特許請求の範囲と均等の意味および範囲内での全ての変更が含まれることが意図される。
【００５９】
例えば、第１の実施形態では、フィルタ６０１および高調波抑制制御回路６０２が単一の基板Ａ１に形成され、かつコンバータ６０７、圧縮機駆動用インバータ６０３、圧縮機駆動用インバータ制御回路６０４、ファン駆動用インバータ６０５およびファン駆動用インバータ制御回路６０６が単一の基板Ａ２に形成されている室外機１について説明したが、フィルタ６０１および高調波抑制制御回路６０２が別異の基板に形成されていてもよく、コンバータ６０７、圧縮機駆動用インバータ６０３、圧縮機駆動用インバータ制御回路６０４、ファン駆動用インバータ６０５およびファン駆動用インバータ制御回路６０６のうちの一部または全部が別異の基板に形成されていてもよい。
【００６０】
また、第１の実施形態では、圧縮機駆動用インバータ制御回路６０４およびファン駆動用インバータ制御回路６０６が単一のマイコンａ１で構成されている室外機１について説明したが、圧縮機駆動用インバータ制御回路６０４およびファン駆動用インバータ制御回路６０６が別異のマイコンで構成されていてもよく、圧縮機駆動用インバータ制御回路６０４および／またはファン駆動用インバータ制御回路６０６がマイコンで構成されていなくてもよい。
【００６１】
また、第２の実施形態では、高調波抑制制御回路６０２および圧縮機駆動用インバータ制御回路６０４が単一のマイコンｂ１で構成されている室外機１１について説明したが、高調波抑制制御回路６０２および圧縮機駆動用インバータ制御回路６０４が別異のマイコンで構成されていてもよく、高調波抑制制御回路６０２および／または圧縮機駆動用インバータ制御回路６０４がマイコンで構成されていなくてもよい。
【００６２】
また、第３の実施形態では、高調波抑制制御回路６０２、圧縮機駆動用インバータ制御回路６０４およびファン駆動用インバータ制御回路６０６が単一のマイコンｃ１で構成されている室外機１１１について説明したが、高調波抑制制御回路６０２、圧縮機駆動用インバータ制御回路６０４およびファン駆動用インバータ制御回路６０６のうちの少なくともいずれかが別異のマイコンで構成されていてもよく、高調波抑制制御回路６０２、圧縮機駆動用インバータ制御回路６０４およびファン駆動用インバータ制御回路６０６のうちの少なくともいずれかがマイコンで構成されていなくてもよい。
【００６３】
なお、フィルタ６０１、高調波抑制制御回路６０２、圧縮機駆動用インバータ６０３、圧縮機駆動用インバータ制御回路６０４、ファン駆動用インバータ６０５、ファン駆動用インバータ制御回路６０６、コンバータ６０７、サイクル制御回路６０８等が形成されている基板の数が２以上の場合、電気箱の厚さを薄くする観点から、上記２以上の基板の板面が同一平面上に配設されていることが好ましく、例えば、第１の実施形態においては、基板Ａ１、Ａ２、Ａ３等の板面が同一平面上に配設されていることが好ましい。
【００６４】
また、図５においては、上記第１の実施形態の室外機１を用いた空気調和機１０の冷凍サイクル系統図について説明したが、例えば、第２の実施形態の室外機１１や第３の実施形態の室外機１１１など、本発明の室外機の構成を満たす室外機であれば、いずれの室外機であってもよい。
【００６５】
なお、本発明の室外機は、当該室外機の駆動用電源として、例えば単相交流、２相交流、３相交流等のいずれの電源も用いることができるが、高調波電流を抑制するためにアクティブフィルタ、アクティブコンバータ等の複雑な回路構成を必要とする３相交流電源を用いる場合、上記電気箱の容積を特に小さくすることができる。
【符号の説明】
【００６６】
１、１１、１１１  室外機
２  筐体
３  圧縮機
４  熱交換器
５  ファン
９  室内機
１０  空気調和機
６１、６２、６３  電気箱
６０１  フィルタ
６０２  高調波抑制制御回路
６０３  圧縮機駆動用インバータ
６０４  圧縮機駆動用インバータ制御回路
６０５  ファン駆動用インバータ
６０６  ファン駆動用インバータ制御回路
６０７  コンバータ
６０８  サイクル制御回路
Ａ１、Ａ２、Ａ３、Ｂ１、Ｂ２、Ｂ３、Ｃ１、Ｃ２  基板
ａ１、ｂ１、ｃ１  マイコン
【図１】
0006375173.tif 000002
【図２】
0006375173.tif 000003
【図３】
0006375173.tif 000004
【図４】
0006375173.tif 000005
【図５】
0006375173.tif 000006
【図６】
0006375173.tif 000007